(57)【特許請求の範囲】
【請求項１】
日よけ生地を生地軸に巻き付けてストック可能な日よけケースを有する日よけにおいて、
垂直壁に取り付けるために上記日よけケース（１）が日よけの不使用時に壁に平行な位置に内側へ旋回可能であり日よけの使用時に壁に垂直な位置に外側へ旋回可能であるように、日よけケース（１）が旋回軸受（２）を介して固定パーツ（３）と連結されることを特徴とする日よけ。
【請求項２】
上記日よけ生地が巻き上げ方向へ巻き上げブラインドのようにバネ付勢されていることを特徴とする請求項１に記載の日よけ。
【請求項３】
上記旋回軸受（２）が水平回転軸及び／又は垂直回転軸を有することを特徴とする請求項１に記載の日よけ。
【請求項４】
上記日よけケース（１）が外側に旋回した状態で係合可能であることを特徴とする請求項１に記載の日よけ。
【請求項５】
日よけケース（１）が外側旋回方向で係合位置を越えて力を加えられることで、上記係合が解除可能であることを特徴とする請求項４に記載の日よけ。
【請求項６】
上記日よけケース（１）の外側自由端（８）に支持装置が配置されることを特徴とする請求項１に記載の日よけ。
【請求項７】
上記支持装置が、地面（６）の方に延び特に折り畳み可能な少なくとも１つのステー（９）を備えることを特徴とする請求項６に記載の日よけ。
【請求項８】
上記支持装置が、壁固定具（１３）用の結合手段（１２）を有することを特徴とする請求項７に記載の日よけ。
【請求項９】
引き出し方向で見て日よけ生地のフリーなリーディングエッジに把持及び／又は固定つまみ（４）が配置されていることを特徴とする請求項１に記載の日よけ。
【請求項１０】
上記ケース（１）が相対的に固定パーツに対してその縦軸回りに９０°だけ回転可能に形成されていることを特徴とする請求項１に記載の日よけ。
【請求項１１】
固定孔を備えた固定パーツと結合するために、上記日よけが固定プレートを有し、上記ケース（１）が二度９０°異なる角度位置で固定プレート（３）と結合可能であることを特徴とする請求項１に記載の日よけ。
【発明の詳細な説明】
【０００１】
【発明の属する技術分野】
本発明は、日よけケースを備えた日よけ（オーニング）に関するもので、当該日よけでは特に側方の視野保護としての日よけ生地が生地軸に巻き付けられている。
【０００２】
【従来の技術】
横からの視野保護の実現のための公知の可能性は満足できるものではない。そして例えば視野保護を扇状に壁から下へ或いはその逆にパタンと開閉することが公知である。その際、折り畳まれ使用されていない状態ではあまり膨大でない程度の織物束が生じる。
【０００３】
他の実用的な可能性は、横から垂直日よけに布地が挟み込まれることにあり、これは普通は必然的に相当な肉体的骨折りを伴う。
壁から生地スクリーンとして前方へ引かれるサイド日よけも公知である。
【０００４】
【発明が解決しようとする課題】
これらから、本発明は、不使用状態で保護され美的効果を有して格納され使用のために手軽で簡単に繰り出されて固定可能であるように、始めに述べた様式の日よけを仕上げることを課題とする。
【０００５】
【課題を解決するための手段】
この課題は、本発明にしたがい、日よけケースが日よけの不使用の際に壁に対し平行な位置に内側へ転向可能で日よけの使用の際に壁に対し垂直な位置に外側へ転向可能であるように、上記ケースが旋回軸受(Schwenklager)を介して直立壁への装着のための固定パーツと連結されていることによって解決される。
【０００６】
この構成によって、日よけが非常に簡単に取り扱い可能であることが達成される。使用されない場合、湿気や埃に対してガードされ比較的目立たないように壁に隣接して格納される。使用のために当該日よけは簡単に開いて出され、部分的に又は完全に引き出される。
【０００７】
日よけ生地が巻き上げ方向へ巻き上げブラインド状に(rolloartig)バネ付勢され、言い換えれば、日よけ生地が自動的に再び引き込められるのが有利である。当然ながら、日よけ生地の繰り出し側の端部はそれぞれの繰り出し位置において固定されなければならず、あるいは巻き軸はブロックされなければならない。
【０００８】
上記旋回軸受は水平の及び／又は垂直の回転軸を有することが可能で、その結果、日よけは側方の視野保護としてだけでなく、水平のシルエット形成としても用いることが可能である。
【０００９】
日よけケースが外側へ転向した状態で係合可能（フック係合やスナップ係合のロック）であるのが好都合である。その際、日よけケースが外側に転向する方向で係合位置を越えて力を受けることで、ロックは解除可能である。
【００１０】
日よけケースの外側自由端に、例えば地面側へ延在し特に折り畳み可能なステーによって形成されうる支持装置が配設可能である。
代替的に上記支持装置は壁固定のための結合手段、例えばバネリング等のような様式のものを有することも可能である。
【００１１】
引き出し方向で見て日よけ生地の自由なリーディングエッジに把持及び／又は固定つまみが配置されていてもよく、その結果、日よけ生地は容易に引き出し可能である。当該つまみはまた生地の拘束のために縁側のフック金具に掛けられることができる。
【００１２】
日よけケースが相対的に固定パーツに対してその縦軸周りに９０°だけ回転可能なように形成されるのが有利である。
この回転可能性に基づいて、日よけは自己選択で水平遮蔽のためか垂直遮蔽のためのいずれかに用いることが可能である。
【００１３】
この回転可能な形態の代わりに、日よけが、当該日よけを互いに９０°の位置関係にある２つの位置で固定可能な穿孔を備える固定プレートを、固定パーツへの連結具として有するようになっていてもよい。
【００１４】
【発明の実施の形態】
以下に本発明を図面に関連した好ましい実施形態により詳細に説明する。
図１〜４に示された日よけは、旋回軸受２を介して壁に固定された固定パーツ３と結合するケース１を擁している。
【００１５】
図２において、ケース１の下側に把持つまみ（留め環）４があることが認識できる。このつまみは、図３に示されるように、日よけ生地５を引き降ろすためと地面６に取り付けられた固定装置に留めるために用いられる。
【００１６】
ケース１の外側自由端８に支柱９が配置される。この支柱は図１に示されるようにジョイント部１０で折り畳み可能であり、図３に示された開いた状態で地面側の保持装置と連結可能である。
【００１７】
図５〜８に示された実施形態の場合、ケース１は固定パーツ３に対して相対的に、特に図７及び８で認識可能なように日よけ生地が水平に繰り出されうるように、配置されている。日よけ生地の外側自由端に、例えばフック金具の形状をした固定装置１２が備えられる。当該固定装置は壁側の保持装置１３に掛けられる。
【００１８】
この実施態様の場合も、図６及び７で認識可能なように、折り畳み可能な支柱９が備えられていてもよい。
【図面の簡単な説明】
【図１】壁の方へ内側へ転向したケースを備える本発明に係る日よけの概略図である。
【図２】ケースを水平に立てた状態での図１に対応する図である。
【図３】日よけを引き出した状態での図２に対応する図である。
【図４】ケースを繰り出した状態での平面図である。
【図５】水平遮蔽を可能にし壁に折り畳まれた状態での日よけの実施形態を示す。
【図６】ケースが外側に押し出された状態での日よけを示す。
【図７】日よけ生地を繰り出した状態での図６に対して９０°だけずれた図である。
【図８】平面図である。
【符号の説明】
１  ケース
２  旋回軸受
３  固定パーツ
４  固定用つまみ
９  ステー
１２  結合手段
１３  壁固定具
【図１】
0004092009.tif 000002
【図２】
0004092009.tif 000003
【図３】
0004092009.tif 000004
【図４】
0004092009.tif 000005
【図５】
0004092009.tif 000006
【図６】
0004092009.tif 000007
【図７】
0004092009.tif 000008
【図８】
0004092009.tif 000009